(57)【要約】本発明は遊動式ケミホタルに関するもので、より詳細には、浮きのトップに差し込んで一定の位置に移動することができるのはもちろん、一側に設けた弾性材質のストッパーによって移動による外力をとり除けば、その場に固定することができるため、ダム釣りのように水位の変動によってケミホタルの高さの調整が行われても、撒き餌の投擲地点やポイント選定が同一で、撒き餌の分散を防止することで、釣果の優れた遊動式ケミホタルに関するものである。
2008505655.tif 000002
【特許請求の範囲】
【請求項１】
中央が貫通する形象で中孔成形された可溶性の材質の外皮と、
この中孔成形された外皮の内部に一定量充填されたオギザレートの充填剤と、
前記外皮の内部にオギザレートの充填剤と共に収容された毛細ガラス管と、
この毛細ガラス管の内部に充填されたアクティベータと、を含む遊動式ケミホタルにおいて、
前記中央が貫通する形象で中孔成形された外皮の内周面を通じて、外部から細長型の差込部材に外力を付け加え、一定の長さほど差し込んで移動させた後、外力を取り除けばその位置で遊動しないようにする、前記外皮の内周面の所定位置に固設した中孔円筒状の弾性材質からなるストッパーを、さらに含むことを特徴とする遊動式ケミホタル。
【請求項２】
前記外皮の内周面には、この外皮の内周面より直径が大きく、外皮の外周面より直径が小さく、一定の長さを持つ拡径溝が形成され、
前記拡径溝には、前記ストッパーの外周面が載置され、前記ストッパーを装着することを特徴とする請求項１に記載の遊動式ケミホタル。
【請求項３】
前記外皮の外周面は、卵状でなることを特徴とする請求項１または２に記載の遊動式ケミホタル。
【発明の詳細な説明】
【発明の詳細な説明】
【０００１】
〔発明の分野〕
本発明は遊動式ケミホタルに関するもので、より詳細には、浮きのトップに差し込んで一定の位置に移動することができるのはもちろん、一側に設けた弾性材質のストッパーによって移動による外力をとり除けば、その場に固定することができるため、ダム釣りのように水位の変動によってケミホタルの高さの調整が行われても、撒き餌の投擲地点やポイント選定が同一で、撒き餌の分散を防止することで、釣果の優れた遊動式ケミホタルに関するものである。
【０００２】
〔背景技術〕
通常、釣りに使われるケミホタル（ｃｈｅｍｉｃａｌ  ｌｉｇｈｔ）をよくケミと縮約して呼んでいる。
【０００３】
ケミホタルを韓国語に直訳すれば化学発光になるが、これは化学薬品の反応でイエローグリーン色の光を出すということで付けられた名称である。ケミホタルの発光原理は、外部から見える外皮の中に毛細ガラス管が入っていることにある。この時、毛細ガラス管の中にはＤ．Ｍ．Ｐ、ブタノール、過酸化水素などの化学物質が入っており、これらは発光を促す活性化役目を果たすためアクティベータ（Ａｃｔｉｖａｔｏｒ）とも呼んでいる。また、外皮の中には、Ｄ．Ｂ．Ｐ、オキシクロライド、染料などの化学物質が入っており、これをオギザレート（Ｏｘａｌａｔｅ）という。ケミホタルを手に握って折れば、内部の毛細ガラス管が破裂し、その中の化学物質が外に出てきて外皮の中のオギザレートと混合して化学反応を起こすようになり、この時、蛍光が発生して明るい光を発散するようになる。
【０００４】
現在、ダムで夜に釣りをする場合、図８に示したように浮き１１の浮きトップ１１ａにケミ差し１２を設け、このケミ差し１２にケミホタル１３を差し込んで釣竿１７を投擲する。もちろん魚種によって図８に示したように、釣糸１５に設けられた釣針１４が地面に立てられるように調整する場合もあり、また釣針１４の上側に設けられた釣糸１５に固定された重り１６が地面に触れる場合と、水面の中間部位に釣針１４が位置する場合がある。この時、ケミ差し１２に差し込まれたケミホタル１６だけが水上に上がる程度に釣竿１７を垂らすようになる。使用者は水面１Ａに上って来た発光するケミホタル１３の上昇または下降による動きを見守りながら釣竿を引き上げる。
【０００５】
しかし、ダムの水位を調節するために水を放流し、水位１Ａから一定時間を経て、図９に示したように水位２Ｂの状態に変化すれば、前記ケミホタル１３が設けられた浮きトップ１１ａが一定の長さが突出した状態になり、暗い夜に魚のあたりによってケミホタル１３が下部に移動するのが水中に沈まず続いて見えるようになるので、釣竿を引き上げる時点を逃すようになる欠点がある。
【０００６】
この場合に、ケミホタル１３が水位２Ｂから大きく離れたことに気づいた釣士は浮き１１の図示しない浮きゴムを調節し、図１０に示したように、ケミホタル１３が水位２Ｂに触れるようにする。しかし、このような場合に、釣竿１７から浮き１１に差し込まれた浮きゴムまでの釣糸１５が調整された長さのＣほど、ここにあたる地面の釣針１４の投擲位置が最初の地点であるＦからＤほど移動するようになるので、撒き餌の分散をもたらすため釣果が良くない。
【０００７】
一般的に釣士は釣糸を切ってしまう考えはしないが、もし釣針１４の投擲位置を等しくするために、釣糸を切って減らすことを考えたとしても、投擲される地点の水面２Ｂとケミホタル１３の高さを正確にわからないため、浮きの高さを調節する場合のように、毎度釣糸を切って縛る作業を繰り返すことができない。
【０００８】
一方、特許文献１には「中孔ケミホタル装着用浮き」が公知されている。図１１に示したように、これは中孔浮き胴体２の上部に中孔ケミホタル３を差し込み、浮き胴体２と中孔ケミホタル３の中央に釣糸４を通過させて使うようにしたものであることが分かる。しかし、このような構成は釣糸が続いて移動できるようにした海釣り用の穴浮きで、ダム釣りの所では浮きとしては使うことができない。
〔特許文献１〕韓国実用新案公開第１９９８−１４３号
【０００９】
〔発明の要約〕
本発明は、前述のような問題点を解決するためになされたもので、中央が貫通する形象に中孔成形された中孔ケミホタルの外皮の内周面を通じて外部から細長型の浮きトップに外力を付け加え、一定の長さほど差し込んで移動した後、外力をとり除けばその位置で遊動しないようにする外皮の内周面の所定位置に固設された中孔円筒状の弾性材質からなるストッパーによって、ダム釣りのように水位の変動によってケミホタルの高さの調整が行われても、撒き餌の投擲地点及びポイントの選定が同一になり、撒き餌の分散を防止することで、釣果の優れた遊動式ケミホタルを提供することにその目的がある。
【００１０】
本発明の他の目的は、外皮の内周面には、この外皮の内周面よりは直径が大きく、外皮の外周面よりは直径が小さな状態で一定の長さを持つように拡径溝を形成し、この拡径溝にはストッパーの外周面を載置してストッパーを装着することで、ストッパーが具備されたケミホタルを浮きトップに差し込む際ストッパーが抜けるのを防止できるようにした遊動式ケミホタルを提供することにある。
【００１１】
また、本発明のさらなる他の目的は、外皮の外皮外周面が卵状に形成されており、水との摩擦を最小化する遊動式ケミホタルを提供することにある。
【００１２】
前述した目的を果たすための本発明の遊動式ケミホタルは、中央が貫通する形象で中孔成形された可溶性の材質の外皮と、この中孔成形された外皮の内部に一定量充填されたオギザレートの充填剤と、前記外皮の内部にオギザレートの充填剤と共に収容された毛細ガラス管と、この毛細ガラス管の内部に充填されたアクティベータと、を含む遊動式ケミホタルにおいて、前記中央が貫通する形象で中孔成形された外皮の内周面を通じて、外部から細長型の差込部材に外力を付け加え、一定の長さほど差し込んで移動させた後、外力を取り除けばその位置で遊動しないようにする、前記外皮の内周面の所定位置に固設した中孔円筒状の弾性材質からなるストッパーを、さらに含むことを特徴とする。
【００１３】
本発明の一態様において、前記外皮の内周面には、この外皮の内周面より直径が大きく、外皮の外周面より直径が小さく、一定の長さを持つ拡径溝が形成され、前記拡径溝には、前記ストッパーの外周面が載置され、前記ストッパーを装着することが好ましい。
【００１４】
本発明の他の態様において前記外皮の外周面は、卵状でなることが好ましい。
【００１５】
〔発明の効果〕
本発明によると、外皮の内周面の所定位置に固設された中孔円筒状の弾性材質からなるストッパーによって、ダム釣りのように水位変動によってケミホタルの高さの調整が行われても、撒き餌投擲地点及びポイントの選定が同一で、撒き餌の分散を防止することで、釣果が優れる。
【００１６】
また、本発明によれば、外皮の内周には、この外皮の内周面より直径が大きく、外皮の外周面より直径が小さな状態で、一定の長さを持つように形成された拡径溝を具備し、この拡径溝にはストッパーの外周面が載置されてストッパーを設けることができるので、ストッパーが設けられたケミホタルを浮きトップに差し込む時にストッパーが抜けるのを防止する。
【００１７】
また、本発明によれば、外皮の外皮外周面が卵状に形成されて、水との摩擦を最小化する。
【００１８】
〔好適な実施形態の詳細な説明〕
図１は本発明の一実施形態に係る遊動式ケミホタルを示す斜視図で、図２は本発明のその他の実施形態に係る遊動式ケミホタルを示す斜視図で、図３は本発明のさらなる他の実施形態に係る遊動式ケミホタルを示す斜視図で、図４は図３の平面図であり、図５は図４のＡ−Ａ線に沿って取った断面図で、図６は本発明のその他の実施形態に係る遊動式ケミホタルを示す断面図で図５の対応図であり、図７は本発明の実施形態に係る遊動式ケミホタルを利用して釣りをする状態を説明する説明図である。
【００１９】
本発明の遊動式ケミホタル１００は、中孔形象で密閉成形された可溶性の材質の外皮１１０と、この密閉された外皮の内部に一定量充填されたオギザレートの充填剤１２０と、外皮の内部にオギザレートの充填剤とともに収容された一定の直径や長さまたは腕輪形態を持つ毛細ガラス管１３０と、この毛細ガラス管の内部に充填されたアクティベータ１４０を含み、中孔形象で真空密閉された外皮１１０の内周面１１１を通じて流入する差込部材の一定範囲の直径変化とは関係なく、差込部材に外力を付け加え、一定の長さほど移動して外力をとり除けばその位置に固定されるようにする外皮１１０の内周面１１１の所定位置に固設された中孔円筒状の弾性材質からなるストッパー１５０をさらに含む。ここで、本発明における差込部材は浮き１１の浮きトップ１１ａや釣糸１５でもよい。
【００２０】
したがって、ストッパー１５０の内周面１５１で浮きトップ１１ａを差し込み、一定の位置で遊動式ケミホタル１００に加える外力をとり除けば、ストッパー１５０の弾性力によって外力をとり除いた位置に遊動式ケミホタル１００が位置して滑らず、浮きトップ１１ａの所定位置に固定される。もちろん、外皮の内周面１１１は浮きトップより直径が大きく、ストッパー１５０の内周面１５１は浮きトップの直径より小さくなければならない。また、ストッパー１５０の内周面１５１は浮きトップ１１ａの直径が大きいのを使う時に製造時の規格を決めて、ストッパー１５０の内周面１５１が大きいのを差し込んで固定しなければならない。また、ストッパー１５０は重いため、できれば短くて直径が少ないのが有用である。
【００２１】
ここで、外皮１１０の内周面１１１には、この外皮の内周面１１１より直径が大きく、外皮の外周面１１２よりは直径が小さな一定の長さの拡径溝１１３が形成され、拡径溝１１３にはストッパー１５０の外周面１５１が載置されてストッパー１５０が装着される。もちろん、ストッパー１５０は拡径溝１１３の両端のいずれにも形成することができ、長さ方向の中間に形成することができるのは言うまでもない。
【００２２】
したがって、拡径溝１１３にストッパー１５０の外周面１５１の中で両側端部が密着されて遊動式ケミホタル１００を浮きトップ１１ａに差し込む際、拡径溝１１３によってストッパー１５０が支持されるので、ストッパー１５０は外皮１１から分離せず維持される。
【００２３】
また、外皮１１０の外周面１１２は円筒状で形成することができるが、卵状に形成する場合には水との摩擦を最小限にすることができる。もちろん、外皮の外周面１１２は円筒状で形成することができ、丸球状に形成することもできる。また、発光時間によって大きさを調節することができるのは当然である。
【００２４】
一方、毛細ガラス管１３０は棒状で形成することができ、好ましくは、遊動式ケミホタルの重心を考慮し、丸型リングの形象で形成する。
【００２５】
したがって、ダム釣りのように水位が低い場合に、浮き１１を釣糸１５から下ろすのではなく圧力をかけて化学反応が起きるようにした遊動式ケミホタル１００を浮きトップ１１ａから下ろすことだけで水面と遊動式ケミホタル１００の位置を合わせることができ、撒き餌の投擲部が一定に維持される。
【００２６】
また、水深の低い釣り場で夜に釣りをする時、短い浮きがない場合は、従来には長浮きの上端を折って使ったが、本発明では長浮きだけある場合に長浮きの浮きトップを水面上に多く露出させた後、遊動式ケミホタル１００を差し込んで水面に合わせればよ良いので、短浮きがない場合にも長浮きだけで釣りができるようになる。
【００２７】
また、夜間釣りの際、浮きの引きを区分しにくい時、遊動式ケミホタル１００を浮きトップ１１ａに一定の間隔で数本を差し込んで使えば、あたりによって遊動式ケミホタル１００によって区別が明確になるので、釣りがいっそう楽しくなる。また、中間水面の夜の釣りでこれを使えば、あたりを容易く区分することができる。
【００２８】
すなわち、釣る現場ごとにあたりの形態と浮きの引きがすべて違うので、本発明の遊動式ケミホタル１００を数本差し込んであたり形態の浮きの引きによって上下で調節してあたりケミホタルと引き上げケミホタルで区分して使うことができ、釣りが一段と面白くなる。
【００２９】
上記で説明し、図面に示した本発明の一実施形態は、本発明の技術的思想を限定するものと解釈してはいけない。本発明の保護範囲は請求範囲に記載した事項によってのみ制限され、本発明の技術分野における通常の知識を有する者は、本発明の技術的思想を多様な形態で改良及び変更するのが可能である。よって、通常の知識を持つ者に自明なように、このような改良及び変更も本発明の保護範囲に属するようになるであろう。
【図面の簡単な説明】
【００３０】
【図１】本発明の一実施形態に係る遊動式ケミホタルを示す斜視図である。
【図２】本発明のその他の実施形態に係る遊動式ケミホタルを示す斜視図である。
【図３】本発明のさらなる他の実施形態に係る遊動式ケミホタルを示す斜視図である。
【図４】図３の平面図である。
【図５】図４のＡ−Ａ線に沿って取った断面図である。
【図６】図５に相応する図で、本発明のその他の実施形態に係る遊動式ケミホタルを示す断面図である。
【図７】本発明の実施形態に係る遊動式ケミホタルを利用して釣りをする状態を説明する説明図である。
【図８】従来の棒型ケミホタルを利用して釣りをする状態を説明する説明図である。
【図９】従来の棒型ケミホタルを利用して釣りをする状態を説明する説明図である。
【図１０】従来の棒型ケミホタルを利用して釣りをする状態を説明する説明図である。
【図１１】従来の海釣り用遊動浮きを説明する断面図である。
【図１】
2008505655.tif 000003
【図２】
2008505655.tif 000004
【図３】
2008505655.tif 000005
【図４】
2008505655.tif 000006
【図５】
2008505655.tif 000007
【図６】
2008505655.tif 000008
【図７】
2008505655.tif 000009
【図８】
2008505655.tif 000010
【図９】
2008505655.tif 000011
【図１０】
2008505655.tif 000012
【図１１】
2008505655.tif 000013
【国際調査報告】
2008505655.tif 000014
2008505655.tif 000015